(57)【要約】車体の貫通孔に挿通されるコントロールケーブルと、コントロールケーブルに設けられ、貫通孔を塞ぎ、車体に固定されるグロメットとを備えたコントロールケーブル装置であって、グロメットは、本体部と、本体部に接続され、コントロールケーブルが挿通される筒状部と、車体への固定部とを有し、筒状部の内周側には、本体部の断面上にコントロールケーブル支持部が設けられている。
2013118774.tif 000002
【特許請求の範囲】
【請求項１】
車体の貫通孔に挿通されるコントロールケーブルと、
前記コントロールケーブルに設けられ、前記貫通孔を塞ぎ、車体に固定されるグロメットとを備えたコントロールケーブル装置であって、
前記グロメットは、本体部と、前記本体部に接続され、前記コントロールケーブルが挿通される筒状部と、車体への固定部とを有し、
前記筒状部の内周側には、前記本体部の断面上にコントロールケーブル支持部が設けられていることを特徴とするコントロールケーブル装置。
【請求項２】
前記コントロールケーブル支持部は、前記筒状部の内周側から突出して設けられていることを特徴とする請求項１記載のコントロールケーブル装置。
【請求項３】
前記コントロールケーブル支持部は、前記コントロールケーブルを前記筒状部へ挿通したときに、前記コントロールケーブルの周まわりに配置されることを特徴とする請求項２記載のコントロールケーブル装置。
【発明の詳細な説明】
【技術分野】
【０００１】
本発明は、コントロールケーブル装置に関し、特に、車両の車体を貫いて車内から車外にかけて配索されるコントロールケーブルを備えるコントロールケーブル装置に関する。
【背景技術】
【０００２】
従来より、車内側に設けられた操作部に一端が連結され、車外側の操作対象に他端が連結されるインナーケーブル及びこのインナーケーブルを内部に収納するアウターケーシングを備えるコントロールケーブルは、車体の貫通孔を通って配索される。そして車体の貫通孔には、車外側から水、排気ガス、又は塵埃等の異物が車内側に入り込まないように、貫通孔を塞ぐグロメットが設けられている。【０００３】
このようなグロメットとしては、例えば、ゴム製の平板状であって、一方の面から他方の面に向けてコントロールケーブルを挿通する挿通孔が２箇所に設けられたグロメットが開示されている（特許文献１）。そしてこのグロメットを車体の貫通孔を塞ぐように車体に固定し、挿通孔にそれぞれコントロールケーブルを挿通させることにより、貫通孔を塞ぎつつコントロールケーブルを車内側から車外側に配索している。このようなグロメットは、挿通孔端部にシール部が設けられており、このシール部でコントロールケーブルを支持している。
【先行技術文献】
【特許文献】
【０００４】
【特許文献１】特開平９−２４０３０３号
【発明の概要】
【発明が解決しようとする課題】
【０００５】
ところで、コントロールケーブルは配索時に車体の構造等により直線状態ではなく、コントロールケーブルの性能に影響が少ない程度に曲げられて配索される。そのため、操作部を操作してインナーケーブルに引張力を加えると、シール部にはアウターケーシングの直線になろうとする反力による荷重が加わる。そして、剛性の低いシール部はその荷重を支持することができずに弾性変形し、アウターケーシングの配索経路が変更されてしまう問題がある。アウターケーシングの配索経路が変更されると、インナーケーブル操作時のストロークロスが大きくなり、インナーケーブルの一端側の操作部から他端側の操作対象へと変位が十分に伝達されなくなり、操作対象を操作できなくなるおそれがある。【０００６】
そこで、本発明は、インナーケーブルが操作されたときに発生するアウターケージングの反力による荷重によってアウターケージングの配索経路が変わるのを抑制することで、インナーケーブル操作時のストロークロスの増大を防ぎ、操作対象を確実に操作することができるコントロールケーブル装置を提供することを目的とする。
【課題を解決するための手段】
【０００７】
上記目的を達成するために、本発明のコントロールケーブル装置は、車体の貫通孔に挿通されるコントロールケーブルと、前記コントロールケーブルに設けられ、前記貫通孔を塞ぎ、車体に固定されるグロメットとを備えたコントロールケーブル装置であって、前記グロメットは、本体部と、前記本体部に接続され、前記コントロールケーブルが挿通される筒状部と、車体への固定部とを有し、前記筒状部の内周側には、前記本体部の断面上にコントロールケーブル支持部が設けられていることを特徴としている。
【発明の効果】
【０００８】
（１）本発明のコントロールケーブル装置によれば、筒状部の端部に比べて、肉厚で剛性の高い本体部の断面上にコントロールケーブル支持部が設けられているので、インナーケーブルが操作されたときに発生するアウターケージングの反力による荷重を支持して、アウターケージングの配索経路が変わることを抑制することができる。したがって、インナーケーブル操作時のストロークロスの増大を防ぐことができ、操作部の変位を操作対象に確実に伝達することができ、操作対象を確実に操作することができる。また、コントロールケーブル支持部がより本体部の断面上に配置されることで、操作対象からコントロールケーブルを伝わってくる振動をコントロールケーブル支持部を介して本体部に伝達することで振動を吸収し、操作部に振動が伝わることを抑制することができる。【０００９】
（２）本発明のコントロールケーブル装置によれば、コントロールケーブル支持部は、筒状部の内周側から突出して設けられているので、コントロールケーブルをより確実に支持できる。【００１０】
（３）本発明のコントロールケーブル装置によれば、コントロールケーブル支持部はコントロールケーブルの周まわりに配置されるので、より安定してコントロールケーブルを支持できる。
【図面の簡単な説明】
【００１１】
【図１】車体の貫通孔周辺のコントロールケーブル装置の構成を説明する図。
【図２】コントロールケーブル装置の内部構造を説明する断面図。
【図３】コントロールケーブル装置の全体構成を説明する図。
【図４】（Ａ）はグロメットを車体に取付けた時に車内側となる面から見た図、（Ｂ）はグロメットを取付けた時に車外側となる面から見た図。
【図５】図４（Ａ）のＶ−Ｖ線に沿う一部省略拡大断面図。
【発明を実施するための形態】
【００１２】
以下、図面を参照しつつ、本発明の実施の形態のコントロールケーブル装置１について説明する。コントロールケーブル装置１は、図１及び図２に示すように、車体２の例えばフロアパネルなどに形成された貫通孔３を挿通して配索されるコントロールケーブル４と、このコントロールケーブル４に設けられ、車体２の貫通孔３を塞いだ状態で、車体２に固定されるグロメット５と、を備えている。
【００１３】
コントロールケーブル４は、図３に示すように、車内側Ｉに設けられた例えば変速レバーなどの操作部６の操作を車外側Ｏの例えば図示しないエンジンルームに設けられた車両用変速機などの操作対象７に伝達するケーブルである。このコントロールケーブル４は、図１から図３に示すように、一端が操作部６に連結されており、他端が操作対象７に連結されるインナーケーブル８と、このインナーケーブル８を摺動自在に内部に収納して挿通させる筒状のアウターケーシング９とを有している。コントロールケーブル４は操作対象７及び操作部６の位置、及び車体２の構造等の条件により必要に応じて直線状態ではなく、コントロールケーブル４の性能に影響を及ぼさない程度に曲げられて配索される。本実施形態においては、コントロールケーブル装置１は、例えば車両用変速機のシフト及びセレクトの２本のコントロールケーブル４を有しているが、コントロールケーブル４の本数はこれに限定されず、操作対象７及び操作部６に応じて必要な本数が選択される。
【００１４】
グロメット５は、図４に示すように、略長方形の平板状に形成された本体部１０と、この本体部１０に接続され、コントロールケーブル４が挿通される筒状部１１と、本体部１０と略同一の平面形状を有しており、車体２との間に本体部１０を挟んで保持するリテーナ１２とを有する。また、本体部１０の対角の２隅には、グロメット５を車体２に固定するための取付孔１４が形成されており、同様にリテーナ１２の平面図上における本体部１０の取付孔１４に対応する位置にも固定孔２１が形成されており、図２に示すように、これら取付孔１４と固定孔２１によってグロメット５を車体２に固定するためのボルト２３を挿入する固定部２５が形成されている。固定部２５は予めグロメット５にボルト２３を固定しておくなど、グロメット５を車体２に固定することができればどのようなものでもよい。本体部１０及び筒状部１１は例えばゴム製であり、本実施形態においては本体部１０及び筒状部１１は一体成形されている。
【００１５】
本体部１０の平面形状は、車体２の貫通孔３よりも大きく形成されており、グロメット５で貫通孔３を覆ったときに、貫通孔３からはみ出した本体部１０の延在部分２６が車体２に対してシールする領域として機能する。車体２に固定されたときに車内側を向く本体部１０の面Ｙには、貫通孔３の内側縁の形状とほぼ等しい形状を描くように凸部１３が突出している。凸部１３の断面形状は図２に示すように台形で側面が斜面となっており、組み付け相手である車体２の貫通孔３の車外側から押し込んではめ込みやすくなっている。そして、この凸部１３によりグロメット５が車体２に対して位置決めされる。
【００１６】
さらに、本体部１０の凸部１３の外側、すなわちグロメット５で貫通孔３を覆ったときに貫通孔３からはみ出した延在部分２６には、本体部１０の周縁部と、取付孔１４よりも内側で且つ凸部１３から外側に等間隔空けた凸部１３の周囲とにリップ１５がそれぞれ設けられており、グロメット５を車体２に取付けたときに確実にシールしている。また本体部１０の車外側を向く面Ｚの適宜位置には、この面から垂直に突出する円柱状の突起部１６が形成されており、リテーナ１２の対応する位置に設けられた小孔１７に挿入されてリテーナ１２と本体部１０とが互いに固定される。
【００１７】
筒状部１１は、略円筒状に形成され、グロメット５を車体２に固定したときに、本体部１０の車内側を向く面Ｙから車外側を向く面Ｚに向けて斜めに貫通して形成されている。筒状部１１の両端は本体部１０のそれぞれの面から突出している。なお、筒状部１１の本体部１０のそれぞれの面に対する角度は特に限定されるものではなく、例えば本体部１０のそれぞれの面に対して直交するように貫通していてもよい。また筒状部１１の内周側にはコントロールケーブル４を支持するためのコントロールケーブル支持部１８が設けられている。
【００１８】
このコントロールケーブル支持部１８は、図２及び図５に示すように、コントロールケーブル４を筒状部１１に挿通したときに、コントロールケーブル４の周まわりに連続して配置されるよう、筒状部１１の内周側から突出して設けられている。コントロールケーブル支持部１８の半径方向内側に最も突出した部分、すなわちコントロールケーブル支持部１８の最も径の小さい部分は、筒状部１１に挿通されるコントロールケーブル４の外周よりも径が小さくなるように形成されており、コントロールケーブル４を圧入して挿通したときに、コントロールケーブル４の外周面にコントロールケーブル支持部１８が密着して、コントロールケーブル４を支持する。
【００１９】
コントロールケーブル支持部１８は、コントロールケーブル４の周回りに連続して配置されているので、コントロールケーブル４を確実に安定して支持することができる。また、コントロールケーブル支持部１８は、コントロールケーブル４の軸方向に複数並んで設けられており、少なくともその一部が本体部１０の断面上に形成されている。すなわち、図５に詳しく示すように、コントロールケーブル支持部１８の一部は、少なくとも、グロメット５を車体２に取付けたときに、本体部１０の車内側を向く面Ｙと車外側を向く面Ｚとの間Ｘにおいて、筒状部１１が本体部１０を貫通している部分に設けられている。
【００２０】
このようにコントロールケーブル支持部１８が本体部１０の断面上に形成されていることにより、筒状部１１に挿通されるコントロールケーブル４は、コントロールケーブル支持部１８を介して本体部１０に支持される。本体部１０は筒状部１１よりも肉厚で剛性が高いので、例えばインナーケーブル８の操作時に発生するアウターケーシング９の反力による荷重に抗して、アウターケーシング９の動きを抑えることができ、アウターケーシング９の配索経路が変わることを抑制して、操作対象７を確実に操作することができる。また、コントロールケーブル支持部１８がより剛性の高い本体部１０の断面上に配置されることで、例えば車両用変速機などの操作対象７からコントロールケーブル４を介して伝わる振動をコントロールケーブル支持部１８で吸収することができる。
【００２１】
なお、コントロールケーブル支持部１８は、上記のものに限定されるものではない。コントロールケーブル４を支持することができる機能を有していれば、例えば筒状部１１の内周側から突出する複数の突起や螺旋状に連なる突条であってもよい。
【００２２】
リテーナ１２は、その外縁の形状が、図２に示すように、本体部１０の外縁形状とほぼ同じになるように金属板材をプレス加工して形成したものである。リテーナ１２の外縁部は本体部１０と当接する側に折り曲げられて、外周壁１９が形成され、外周壁１９の内部に本体部１０が収容されている。これによりリテーナ１２の剛性が増し、また本体部１０のずれが防止される。また、リテーナ１２は図４の（Ｂ）に示すように、中央部に略四角形の開口２０を有しており、この開口２０から筒状部１１が車外側Ｏへ導出されている。また、平面図上における本体部１０の取付孔１４に対応した位置には、ボルト２３を挿入する固定孔２１が設けられている。なお、図２に示すように、グロメット５を車体２に取付けたときに、取付孔１４及び固定孔２１に対応する位置の車体２にもボルト挿通孔２２が形成されている。
【００２３】
このようなコントロールケーブル装置１を車体２に取り付けるときには、筒状部１１にコントロールケーブル４を挿通した状態で、車体２の貫通孔３に本体部１０の凸部１３を嵌合させる。そして、車体２の車内側Ｉからボルト挿通孔２２を通して本体部１０の取付孔１４及びリテーナ１２の固定孔２１に向けてボルト２３を挿入して、車外側Ｏからナット２４を締結してグロメット５を車体２に固定する。本体部１０は、車体２とリテーナ１２とに挟まれて、リップ１５が車体２に押し付けられてシールされる。コントロールケーブル４は車体２の形状等に応じて、少なくとも一部が曲げられて配索されて、一端が操作部６に、他端が操作対象７に連結される。
【００２４】
そして、操作部６を操作してインナーケーブル８に引張力を加えると、操作部６と操作対象７との間でインナーケーブル８は直線になろうとし、アウターケーシング９にも直線になろうとする反力による荷重が発生する。そしてこの荷重は、車体２に固定されるとともに、コントロールケーブル４を支持しているグロメット５のコントロールケーブル支持部１８に伝わる。しかし、コントロールケーブル支持部１８は、少なくともその一部が、筒状部１１の端部に比べて肉厚で剛性の強い、すなわち撓みにくい本体部１０の断面上に設けられているので、アウターケーシング９の反力による荷重に抗して、アウターケージング９の配索経路が変わることを抑制することができる。したがって、アウターケーシング９の配索経路の変更によって生じるインナーケーブル８操作時のストロークロスの増大を防ぐことができ、操作部６の変位を操作対象７に確実に伝達することができるので、操作対象７を確実に操作することができる。
【００２５】
また、特に操作対象７が車両用変速機であって、操作部６が変速レバーである場合のように、車外側Ｏのエンジンからの振動がコントロールケーブル４を伝わって、車内側Ｉにある操作部６に伝達されると、車内側Ｉにある例えばダッシュボードを振動させるなどして、車内の音響環境を悪くすることになるが、本実施形態のコントロールケーブル装置１のように、コントロールケーブル支持部１８が本体部１０の断面上に配置されることで、コントロールケーブル４を伝わってくる振動をコントロールケーブル支持部１８を介して本体部１０に伝達することで振動を吸収し、操作部６に振動が伝わることを抑制することができる。
【００２６】
なお、本発明のコントロールケーブル装置１は、上述の形態に限るものではなく、本発明の要旨を逸脱しない範囲内で適宜変更することができる。
【産業上の利用可能性】
【００２７】
本発明に係るコントロールケーブル装置１は、例えば車両用変速機のコントロールケーブル装置１として好適に用いることができる。
【符号の説明】
【００２８】
１    コントロールケーブル装置
２    車体
３    貫通孔
４    コントロールケーブル
５    グロメット
１０  本体部
１１  筒状部
１２  リテーナ
１８  コントロールケーブル支持部
２５  固定部
【図１】
2013118774.tif 000003
【図２】
2013118774.tif 000004
【図３】
2013118774.tif 000005
【図４】
2013118774.tif 000006
【図５】
2013118774.tif 000007
【国際調査報告】
2013118774.tif 000008
2013118774.tif 000009
2013118774.tif 000010
2013118774.tif 000011